(57)【要約】      （修正有）【課題】音響機器、特に、マルチスピーカーにおいて、高音、中音、低音の分割に使用される回路（デバイディングネットワーク）や、スピーカの駆動用に使用されるコイル等の電子部品から発生する電磁波によるノイズによる、音質劣化を低減し、高音質をもつスピーカーを得る。【解決手段】音楽鑑賞用音響機器の内部から発生する電磁波を発生源となる部品に対し効果的に、そのエネルギーを吸収せしめるため、電磁波吸収体、例えばコイルを単数、複数装着し、そのノイズによる音質劣化への影響を低減せしめる、７の結果、高音質スピーカーを提供できる。【選択図】図１
2005260901.tif 000002
【特許請求の範囲】
【請求項１】
音響機器に使用されるコイル等の電子部品より発生する電磁波による音質劣化を低減するため、その電子部品の発生する電磁波磁場中に、電磁波吸収機能のあるコイル等の構造体を装着して、その音質劣化を低減した音響機器、及び、その方法。
【発明の詳細な説明】
【技術分野】
【０００１】  本発明は、電子式音響機器、特に、高音質オーディオ機器の音質向上に関する。〔背景技術〕【０００２】  音響機器の高音質化技術には、２つの取組み技術がある。１つは原音信号を如何に忠実に伝達し、且つ、電気エネルギーと機械エネルギーとの変換を行うかに関するものである。そのための、回路設計、関連部品類の構造設計は勿論のこと、材質面でも、無酸素銅や高純度銅、更には純銀や、これらの銅線へ純銀を表面処理をした配線ケーブル、低誘電体損失の絶縁材料を使用したコンデンサー、プリント板等の電子部品の使用、更には、ネオジュム、サマリウムコバルト等の強性体を使用したスピーカー等の技術が実用化されている。【０００３】  他の取組みは、外部から侵入、または、音響機器に使用されている部品から発生するノイズを低減するか、或いは、その音質への影響を低減することにより、高音質化することである、外部から侵入するノイズのうち、電源を通して侵入するノイズに対しては、電源フィルターの使用、外部から侵入する電磁波、或いは機器に使用されている部品自身から発生する電磁波に対しては、音質劣化に大きく影響を受ける部品のシールド、或いは、部品類の配置（距離、方向）、部品類の振動を防止するための固定法の強化等の対策技術が実用化されている。【０００４】  上記のノイズ対策は、高コスト化を伴う他、著しい効果が期待できないものがある他、音質劣化もたらすものもあり、前者の材質面、構造面  回路設計面に比較して低水準にある。これらの対策は進入、或いは、発生電磁波に対しての消極的なものと云える。【０００５】  音響機器、特に、高級オーディオ機器の高音質化への市場要求は、デジタル技術、回路技術、高性能部品の使用等によって、対応され、一応の効果を上げているが、機器全体としては、音の出口であるスピーカー部分が、ボトルネックとなっている。  スピーカー本体は、前述の、高磁性体の使用や、電磁気的な観点での構造の改良等により、性能向上がみられるが、このことは、ノイズによる音質劣化の影響を相対的に、大きくする結果となっている。デジタル信号部分では、容易なこともあって、有効に処理されているが、アナログ信号部分では、ノイズの音質への影響を低減することは容易ではなく、課題として、取組まれる必要がある。  特に、機器自体から発生する電磁波によるノイズ障害は、特に、重要である。  まだ、オーディオ機器の音質特性が、物理特性のみでは、不可能で、音楽的、或いは芸術的、趣味的要求があって、試聴による課題評価が、併せ、実施されることも品質評価を複雑化させ、試行錯誤を繰返す結果をもたらしている。【０００６】  本発明は、機器内部から発生する、エネルギーが大きく、且つ、瞬発的な電磁波による音質劣化への影響に注目し、高音質化への市場要求に、対応せんとあるものである。  特に、マルチスピーカー方式のオーディオ機器では、スピーカー自体の駆動用コイルは勿論のこと、音楽信号を、高音、中音、低音に分割する回路（デバイデイングネットワーク）が、スピーカーボックス内に装着され、その回路には、電磁波を発生する多くのコイルと、これをノイズとして受ける部品が含まれている。これらのコイルから発生する電磁波が、オーディオ機器の��質の、透明度、解像度を劣化させる。事実、電磁波発生のエネルギーが比較的大きい有芯コイルが空芯コイルに切替えられつっることは見逃すことができない。  有芯コイルから空芯コイルへの切替えは一つの発生する電磁波を低減する手段として有効であるが、本発明は、全く違った手段で低減せんとするものである。  本発明は、ノイズとなる電磁波を電磁波吸収体を用いて、これを吸収せしめ、その音質劣化への影響を低減することにより、高音質オーディオ機器を得んとするものである。  微弱な外部から侵入する電磁波の吸収体としては、下記の文献の報告があり、吸収体により、電磁波を吸収することにより、その障害を防いだり、軽減できることが述べられている。  オーディオ機器で発生する電磁波は、上記の文献に述られいるものよりはるかにエネルギーは大きく、音質劣化への影響は、文献に述べられている半導体への誤動作防止と比較して次元の異なるものである。従って、吸収体としては、文献に示される構造体である必要はなく、低コストの巻線コイルで十分である。巻線コイルが、電磁波エネルギーを吸収することは、変圧器にみられる如く、衆知の事実である。〔非特許文献１〕朝日新聞〔朝刊〕２００４年１月７日〔非特許文献２〕読売新聞〔朝刊〕２００４年２月１７日〔発明の開示〕〔発明が解決しようとする課題〕【０００７】  前述の通り、オーディオ機器内から発生する電磁波ノイズへの対応策は、音質劣化への影響が、重視されていないこともあって、その発生エネルギーが小さい部品の使用、部品や回路が、その影響を受け難い様な、構造、配置、固定法に絞られ、消極的なものと云える。【０００８】  本発明は、オーディオ機器に対して機器で発生する電磁波の音質劣化への影響を重視し、従来の対応策と比較して、全く違った観点から考案したものである。即ち、機器で発生する電磁波を、簡易吸収体を用いて、これを吸収せしめ、音質劣化への影響を少くせんとするものである。〔課題を解決するための手段〕【０００９】  本発明は、上記課題に対して、電磁波を発生する部品や回路に対してその電磁波エネルギーを吸収できる位置に、吸収体として、巻線コイル等の構造体を装着して、その目的を達せんとするものである。勿論、吸収体としては、巻線コイルに限定するものでなく、導電性物質からなる網状、格子状、或いは、孔あき状の構造で、電磁波吸収性があればよい。〔発明の効果〕【００１０】  マルチスピーカー方式のオーディオ機器スピーカーにおいて、そのデバイディングネットワークに使用される部品のうち、電磁波を発生し、音楽信号回路にノイズとして影響を与え易いものに対しその発生する電磁波を、効率的に吸収する位置に吸収体として、巻線コイルを装着した結果、スピーカーから発生する音質の透明度、解像度が向上し、高音質のオーディオ機器を得ることができた。  比較的、簡易な方法で高音質オーディオ機器を提供できる。【００１１】  この方法によれば、既製のスピーカーの音質向上に活用することもできる。〔発明を実施するための最良の形態〕【００１２】  以下、本発明の形態を、図１〜図６に基づいて説明する。  図１は、４ウエイマルチスピーカー方式のデバイディングネットワークに、本発明の目的とする電磁波を吸収��ため、巻線コイルを、１、２に示すスピーカー回路に装着した回路図を示している、夫々、低音用、中音用スピーカーである。【００１３】  図１において、５ａ、６ａから発生する電磁波が、スピーカー３、４にノイズとして音質を劣化させる。夫々、高音用、超高音用スピーカーである。【００１４】  ５ｂ，６ｂは、発生する電磁波を吸収する巻線コイルである。【００１５】  ５ａ、６ａは、空芯コイルであって、高音カットフィルター用として、夫々、符号１の低音用、符号２の中音用スピーカー回路に、直列に装着されている。これらのコイルから発生する電磁波の吸収体として、５ｂ，６ｂの有芯コイルが、ワイヤーの一端をアースして装着されている。【００１６】  ５ｂ，６ｂのコイルは、５ａ，６ａのコイルのインピーダンスより、大きなものを使用することが好ましいが、絶対必要条件ではない。  また、吸収したエネルギーが、熱として放散されることも考えられるので、必ずしも、アースを必要としない。【００１７】  ５ａ、６ａの電磁波発生コイルに対し、図３の如く、吸収体コイルを単数、立体的に装着したり、図４の如く、複数のコイルを、吸収体として、立体的に装着したり、或いは、図４、図５の如く、平面的に装着してもよい。立体的装着が、好ましいが、絶対的條件でない。部品配置の関係から決定する。〔実施例〕【００１８】  図１の既存の４ウエイマルチスピーカー用デバイデイングネットワークの低音用、中音用スピーカーの高音カットフィルター用コイルに対し、有芯コイルを、図５に示す様に、平面的に単数の巻線コイルを、ワイヤーの一端をアースして装着した。  試聴の結果、高音側の音の透明度、解像度が向上し高音質となった。  なお、本発明に関連した実施例に使用した部品の仕様は、下記の通り。  図１において  符号１低音用スピーカー  外径２０ｃｍ，インピーダンス１６Ω  ２ヶ  符号２中音用スピーカー  外径１０ｃｍ，インピーダンス８Ω    １ヶ  低音用スピーカー用高音カットフィルター用コイル  ２．８ｍＨ  空芯コイル  中音用スピーカー用高音カットフィルター用コイル  ０．５ｍＨ  空芯コイル  低音用スピーカー回路に対する吸収体コイル        ５．６ｍＨ  中音用スピーカー回路の高音カット用フィルターコイルに対する吸収体コイル  １ｍＨ
【図面の簡単な説明】
【００１９】
【図１】低音用、並びに、中音用スピーカー回路の高音カット用フィルターコイルに対して、吸収体コイルを装着した４ウエイマルチスピーカーデバデイングネットワーク回路図。
【図２】高音カットフィルター用コイル対する吸収体コイルを単数、立体的に装着した平面図。吸収体コイルは有芯コイルを示す。
【図３】同上断面図。
【図４】高音カットフィルター用コイルに対する吸収体コイルを２ケ、立体的に装着した断面図。
【図５】高音カットフィルター用コイルに対する吸収体コイルを単数、平面的に装着した平面図、及び、断面図。
【図６】高音カットフィルター用コイルに対する吸収体コイルを２ケ、平面的に装着した平面図、及び、断面図。〔符号の説明〕
【００２０】  １  低音用スピーカー  ２  中音用スピーカー  ３  高音用スピーカー  ４  超高音用スピーカー５ａ  低音用高音カットフィルター用コイル５ｂ  同上用吸収体コイル（有芯コイル）６ａ  中音用高音カット用フィルター用コイル６ｂ  同上用吸収体コイル（有芯コイル）  ７  コンデンサー  ８  音量調整部品
【図１】
2005260901.tif 000003
【図２】
2005260901.tif 000004
【図３】
2005260901.tif 000005
【図４】
2005260901.tif 000006
【図５】
2005260901.tif 000007
【図６】
2005260901.tif 000008